(57)【要約】【要  約】【課  題】    簡素な構成で、低コスト、汎用性のある排気脱臭装置を実現する。【解決手段】  フィルタ層３を境にして箱体１の内部が２室に分かれ、一方の室が建物の排気口に接続され、他方の室が外気に解放されている排気脱臭装置であって、前記フィルタ層３が、粉砕したざくろ石と無機バインダと、必要に応じてさらに粘土を加えたものを混合して圧縮し、焼成してなる多孔質の板材であることを特徴とする。【選択図】    図１
2009254933.tif 000002
【特許請求の範囲】
【請求項１】
フィルタ層を境として箱体の内部が２室に分かれ、一方の室が建物の排気口に接続され、他方の室が外気に解放されていることを特徴とする排気脱臭装置であって、
前記フィルタ層が、粉砕したざくろ石またはこれを焼成したものと無機バインダと、必要に応じてさらに粘土を加えたものを混合して圧縮し、焼成してなる多孔質の板材であることを特徴とする排気脱臭装置。
【請求項２】
前記箱体の上面が透光性の材料で構成され、前記フィルタ層が外光を受けられるよう水平ないし斜め姿勢に設けられている請求項１に記載の排気脱臭装置。
【請求項３】
前記フィルタ層に光触媒が塗布または含浸されている請求項２に記載の排気脱臭装置。
【発明の詳細な説明】
【技術分野】
【０００１】
本発明は、厨房、便所、畜舎等、臭気を発生する施設における排気の脱臭を行う排気脱臭装置に関する。
【背景技術】
【０００２】
厨房、便所、畜舎等の臭気を発生する施設には、通常、換気扇等の排気手段が設けられていて、臭気を屋外へ排出するようになっている。しかしこのような臭気を含む排気を単に排出したのでは周辺に拡散されるのみで臭気そのものは除去されていないので、近隣住民からの苦情の原因となり、環境管理上好ましくない。
一方、特許文献１には、粉砕したざくろ石と、珪酸ソーダおよび珪酸カリウムを主体とする無機バインダを混合して型枠内に充填し、焼成して発泡、成形させてなる断熱材のボードが記載されている。なお、粉砕したざくろ石を焼成して発泡させたものは「パーライト」の名称で農業用に市販されているので、ボードの素材としてはじめからこれを使用し、後の焼成、発泡工程を簡略化することもできる。
【０００３】
こうして製造されたボードは、断熱性、耐火性に優れているばかりでなく、内部の空隙が大きくて通気性にも優れているところから、特許文献１には、この断熱材ボードをフィルタとして使用したり、反応塔における触媒の担体として使用することが示唆されている。
さらに特許文献２には、この断熱性ボードを表面材で包み、表面材に少なくとも合計２か所の開口を設けたパネル体、あるいは筒体の内部にこのパネル体を１段以上、筒体の長さ方向に配置してなる気体清浄ユニットが記載されている。
【０００４】
図４は特許文献２に記載のパネル体Ｐを示す断面図で、６は表面材、７は仕切り材、６１、６２、７１はこれら表面材６、仕切り材７に設けられた開口、３ａ、３ｂはボードである。
図５はこのパネル体Ｐを建物の屋根等に取り付けるためユニットとした例を示す断面図で、８は筒体、９は送風機である。筒体８の内部にパネル体Ｐが間隔をおいて複数段設置され、上部の送風機９で筒体８内を強制換気するようになっている。
【特許文献１】特開２００４−６９０６０号公報
【特許文献２】特開２００７−２０９９７４号公報
【発明の開示】
【発明が解決しようとする課題】
【０００５】
特許文献２に記載のパネル体Ｐは、表面材や仕切り材を使用するのでコスト高になる上、排気の通過する断面積が開口部に絞られるため通気効率が低いという問題点がある。また、特許文献１に記載のボードは、直接外力が作用することを避けるようにすれば、ある程度の強度を有することも実証された。
そこで本発明は、前記の特許文献１に記載のボードを使用し、構造をいっそう簡素化して、一般的な臭気源に対して使用可能な排気脱臭装置を実現することを目的とする。
【課題を解決するための手段】
【０００６】
本発明は、フィルタ層を境として内部が２室に分かれ、一方の室が建物の排気口に接続され、他方の室が外気に解放されていることを特徴とする排気脱臭装置であって、前記フィルタ層が、粉砕したざくろ石またはこれを焼成したものと無機バインダと、必要に応じてさらに粘土を加えたものを混合して圧縮し、焼成してなる多孔質の板材であることを特徴とする排気脱臭装置であり、望ましくは、前記箱体の上面が透光性の材料で構成され、前記フィルタ層が外光を受けられるよう水平ないし斜め姿勢に設けられている前記の排気脱臭装置であり、さらに前記フィルタ層に光触媒が塗布または含浸されている前記の排気脱臭装置である。
【発明の効果】
【０００７】
本発明によれば、簡易な構造で低コスト、かつ汎用性のある排気脱臭装置が実現し、施設周辺の大気の環境水準が改善されるという、すぐれた効果を奏する。
【発明を実施するための最良の形態】
【０００８】
本発明の望ましい実施例を図面により説明する。
図１は実施例の排気脱臭装置を示す斜視図、図２は同じく断面図で、１は箱体、２はその上面を構成するガラス板、３は箱体１の内部を２室に仕切るフィルタ層であるボード、４はフィルタ層３で仕切られた第１の室に設けられた排気の流入口、５は同じくフィルタ層３で仕切られた第２の室に設けられた排気の排出口で、そのまま外気に解放されている。
【０００９】
前記したように、一般に臭気を発生する施設には換気扇等の排気手段が設けられているから、本発明の排気脱臭装置はその外側の屋外に設置し、既設の換気扇からの排気が強制的に流入口４に流入するようにする。排気は図２の矢印の示すように、フィルタ層であるボード３を透過する間に脱臭され、排出口５から外気に排出される。
ボード３は、前記したとおり、粉砕したざくろ石またはこれを焼成したものと無機バインダと、必要に応じてさらに粘土を加えたものを混合して圧縮し、焼成してなる多孔質の板材である。
【００１０】
ここで図１、２に示すように、箱体１の上面にガラス板等の透光性の材料を使用すると
フィルタ層であるボード３に外光が当たるので、ボード３の脱臭機能を活発化させることができる。ボード３は、外光が受けられるよう、少なくとも水平姿勢とすることが望ましい。さらにボード３に光触媒を塗布、あるいは含浸させると、一層反応が活発になるので、より好ましい。
【００１１】
ボード３の寸法は任意ではあるが、一例を挙げれば、平面形状が600×900ｍｍの長方形で、厚さは40ｍｍである。上面を除く箱体１の材質も、金属薄板の板金製、樹脂製、木製など任意である。
図３は本発明の排気脱臭装置の他の実施例を示す断面図で、（ａ）は上面のガラス板２を外光の方に向けて傾斜させている。このようにすると外光が受けやすく、また箱体１の上面に雨水やごみが溜まりにくい。また、特に図示しないが、箱体１内のボード３の上方空間に照明灯を設け、十分な外光の得られない夜間や雨天時の補助光源とすることもできる。この場合、光センサを取り付けて明るさにより自動点滅させることも任意である。
【００１２】
（ｂ）はガラス板２とともにボード３も外光方向に傾斜させて斜め姿勢としたもので、ボード３の受ける光量が増え、脱臭機能を増大させることができる。
なお、ボード３は、表面汚れ、目詰まり、触媒の劣化等に対応するため箱体１に対して取り出し容易な構造とすることが好ましい。
これまで説明したように、本発明の排気脱臭装置は構造がきわめて簡単であり、製造コストも低い。そして既設の換気扇の排気口に接続して設置するようにするのでこれ自身に運転コストはかからず、きわめて経済的で、臭気を発生する施設周辺の環境が改善させるという効果を達成することができる。
【図面の簡単な説明】
【００１３】
【図１】本発明実施例の排気脱臭装置を一部切り欠いて示す斜視図である。
【図２】本発明実施例の排気脱臭装置を示す断面図である。
【図３】本発明の他の実施例の排気脱臭装置を示す断面図である。
【図４】従来の技術におけるパネル体を示す断面図である。
【図５】図４に示すパネル体の屋根部分に対する取り付け状態を示す断面図である。
【符号の説明】
【００１４】
１    箱体
２    ガラス板（透光材）
３    ボード（フィルタ層）
４    流入口
５    排出口
６    表面材
７    仕切り材
８    筒体
９    送風機
６１、６２、７１    開口
Ｐ    パネル体
【図１】
2009254933.tif 000003
【図２】
2009254933.tif 000004
【図３】
2009254933.tif 000005
【図４】
2009254933.tif 000006
【図５】
2009254933.tif 000007